(57)【要約】【課題】  本発明は、狭い場所であっても通路を狭くすることなく、ひじ金具などが屋外から見えなくすることができて、門柱と扉の統一感があって意匠性の高い門扉を提供することにある。【解決手段】  門柱１と扉５とカバー材２とを備え、門柱１は、扉５を取付けるひじ金具３を外側見付け面１ａに有しており、カバー材２は、門柱１の外側見付け面１ａの略全長に亘り取付けてあると共に、ひじ金具本体２１ａを外側から隠すものであることを特徴とする。【選択図】      図１
2010116706.tif 000002
【特許請求の範囲】
【請求項１】
門柱と扉とカバー材とを備え、門柱は、扉を取付けるひじ金具を外側見付け面に有しており、カバー材は、門柱の外側見付け面の略全長に亘り取付けてあると共に、ひじ金具本体を外側から隠すものであることを特徴とする門扉。
【請求項２】
カバー材は、門柱の外側見付け面に取り付けてあり門柱の一方の見込み面と略面一な見込み面を有するカバー補助材と、門柱の外側見付け面及びカバー補助材に着脱自在に取り付けてあり門柱の他方の見込み面と略面一な見込み面とひじ金具本体の外側に位置する見付け面とを有するカバー主材を備えていることを特徴とする請求項１記載の門扉。
【請求項３】
カバー材は、見付け面が扉と略面一状であることを特徴とする請求項１又は２記載の門扉。
【発明の詳細な説明】
【技術分野】
【０００１】
本発明は、出入り口などに設置される門扉に関するものである。
【背景技術】
【０００２】
門扉の意匠性の向上を目的にひじ金具を外側から隠すものとしては、特開平１１−２４７５６９号公報のものがあり、これは、門柱の外側見付け面に左右方向に延長する延長部を有するもので、延長部によって門柱と扉を連結するひじ金具が外から見えない構造となっている。
【特許文献１】特開平１１−２４７５６９号公報
【発明の開示】
【発明が解決しようとする課題】
【０００３】
しかしながら、上記の特許文献１に開示されるものでは、延長部が門柱間に突き合わせる状態で左右方向に延長しているため門柱間の間隔が狭くなってしまい、このことから、敷地に制限のある場所などでは通路が狭くなって通行を妨げたり、また、門扉の意匠性を損ねる問題点があった。
本発明は上記課題を鑑みてなされたものであり、狭い場所であっても通路を狭くすることなく、ひじ金具などが屋外から見えなくすることができて、門柱と扉の統一感があって意匠性の高い門扉を提供することにある。
【課題を解決するための手段】
【０００４】
本発明のうち請求項１記載の発明は、門柱と扉とカバー材とを備え、門柱は、扉を取付けるひじ金具を外側見付け面に有しており、カバー材は、門柱の外側見付け面の略全長に亘り取付けてあると共に、ひじ金具本体を外側から隠すものであることを特徴とする。
【０００５】
本発明のうち請求項２記載の発明では、カバー材は、門柱の外側見付け面に取り付けてあり門柱の一方の見込み面と略面一な見込み面を有するカバー補助材と、門柱の外側見付け面及びカバー補助材に着脱自在に取り付けてあり門柱の他方の見込み面と略面一な見込み面とひじ金具本体の外側に位置する見付け面とを有するカバー主材を備えていることを特徴とする。
【０００６】
本発明のうち請求項３記載の発明では、カバー材は、見付け面が扉と略面一状であることを特徴とする。
【発明の効果】
【０００７】
本発明のうち請求項１記載の発明によれば、門柱の外側見付け面に設け、門柱の外側見付け面にあるひじ金具を覆う状態でカバー材を取付けてあることにより、門柱から扉を支持するひじ金具が外に露出せず、門柱間の間隔を狭めることがないので設置場所を選ばず、門柱間のスペースを有効且つ効率的に利用できる。
【０００８】
本発明のうち請求項２記載の発明によれば、カバー材がカバー補助材とカバー主材とからなることで、カバー主材をカバー補助材から取り外せば門柱の外側見付け面が露出してひじ金具を容易に調整でき、また、カバー主材の見込み面が門柱の一方の見込み面と略面一に形成してあるとともに、カバー補助材の見込み面が門柱の他方の見込み面と略面一に形成してあることから、カバー主材をカバー補助材と門柱に取り付ければ門扉外観の意匠性が向上する。
【０００９】
本発明のうち請求項３記載の発明によれば、カバー材の見付け面と扉の外側見付け面が略面一に形成してあることで、統一感があって意匠性の高い門扉を提供できる。
【発明を実施するための最良の形態】
【００１０】
以下に、図面に基づいて本実施による門扉の実施の形態を説明する。
図１は、本実施による門扉の一部を拡大し、上側端部キャップを取外して示す斜視図であり、図２（ａ）（ｂ）は、カバー材の作用を示す横断面図であり、図３（ａ）は、本実施による門扉の全体を示す正面図であり、（ｂ）は、門柱全体を示す平面図であり、（ｃ）は、本実施による門扉の一部を拡大してカバー材の構造を示す側面図であり、図４（ａ）〜（ｄ）は、本実施によるひじ金具の調整手順を示す横断面した平面図である。
【００１１】
本実施による門扉は、図１を参照すれば、門柱１と、門柱１の外側見付け面１ａに取付けてあるひじ金具３と、カバー材２と、扉５とからなっている。門柱１は、横断面略矩形状をなしており、その外側見付け面１ａはフラット面に形成してある。カバー材２は、カバー主材１４と、カバー補助材４とからなり、カバー補助材４は、門柱１の外側見付け面１ａに設けてあり、門柱１の外側見付け面１ａに沿わせて取付ける門柱取付片４ａと、その門柱取付片４ａの一端から外側に向けて突出するカバー主材取付片４ｂとから略Ｌ字状に形成してある。カバー主材１４は、前壁部１４ｃと左右の側壁部１４ａ，１４ｂとから断面略コ字型をなしており、左右の側壁部１４ａ，１４ｂのうちの一方の側壁部１４ａの鉤状をなす端部８と、カバー主材取付片４ｂの端部９が着脱自在であり且つ開閉自在に取り付けられる。他方の側壁部１４ｂは、その端部８がカバー主材１４を閉じたときに、門柱１の外側見付け面１ａに設けてある上下方向に伸びる嵌合溝１ｂに嵌合することで、カバー主材１４の見付け面１４ｅがひじ金具本体３の外側に位置し、これにより、ひじ金具本体２１ａを覆う状態で門柱１の外側見付け面１ａに取り付けられる。そして、カバー主材１４の左右の見込み面１４ｄとカバー補助材４の見込み面４ｃと門柱１の左右の見込み面１ｃが略面一となる。さらに、門柱１及びカバー材２の上部と下部には、図３（ａ）のように、上側端部キャップ１１と下側端部キャップ１２が取付けられており、下側端部キャップ１２でカバー材２が下方に落ちないように支持している。また、上側端部キャップ１１の上側見込み面１１ｂと扉５の上端面５ｂ、及び下側端部キャップ１２の下側見込み面１２ｂと扉５の下端面５ｃとが略面一となることで、上記のカバー主材１４の左右の見込み面１４ｄと門柱１の左右の見込み面１ｃが略面一になることと相乗的に門扉の意匠的な統一感が醸し出され、門扉の外観が良好となる。また、カバー主材１４の見付け面１４ｅも扉５の見付け面５ａと略面一となっていることで、門扉外観の意匠性をさらに向上させている。また、カバー補助材４は、門柱１の外側見付け面１ａでひじ金具３を挟んだ上下に各々配置してあり、上下のカバー補助材４間の間隙でひじ金具３の扉支持部材２５をカバー材２の外に突出させることができる。また、カバー材２と門柱１及び扉５の高さ位置が略同一であれば意匠性の向上が一層図れる。
【００１２】
ひじ金具３は、門柱１の外側見付け面１ａに固定ネジで固定してある。本実施によるひじ金具３は、ひじ金具本体２１ａと、連動部材２２と、前後調整ボルト２３と、左右調整ボルト２４と、扉支持部材２５とからなっており、ひじ金具本体２１ａは、後側面と左右の一側面が開放したものであり、且つ外側見付け面１ａの上下方向の略中央が略凸状に膨らんだ略上下対称形状をなすものであり、このひじ金具本体２１ａが１種類あれば、左右いずれの門柱１の外側見付け面１ａに取付けたときであっても、上下に反転して取付けることができる。連動部材２２は、門柱１の外側見付け面１ａに沿う方向に延びる見付け片２２ａと、その見付け片２２ａの左右いずれか一端側から前方に延びる見込み片２２ｂとから平面視して略Ｌ字状をなすものである。前後調整ボルト２３は、ひじ金具本体２１ａの見付け面に保持されており、連動部材２２の見付け片２２ａを前後に貫通しており、この前後調整ボルト２３のヘッド部を正・逆いずれかに回すことで、扉支持部材２５を前後自在に移動できる。また、左右調整ボルト２４は、ひじ金具本体２１ａの見込み面（門柱１の右側見込み面）に保持されており、連動部材２２の見込み片２２ｂを左右に螺合・挿通しており、上記の前後調整ボルト２３と同様に、正・逆いずれかに回すことで扉支持部材２５を門柱１の外側見付け面１ａに沿って左右に自在に移動する。扉支持部材２５は、左右いずれかの端部に左右調整ボルト２４を受け入れる切欠部２５ａと、扉５の丁番１０を軸支する軸アーム２５ｂを有している。切欠部２５ａは、上下に間隔をあけた二箇所に配置してあり、扉支持部材２５を上下に反転しても左右調整ボルト２４を受け入れる箇所をそのままに、扉５の吊り位置のみを変更することができる。また、軸アーム２５ｂは、扉支持部材２５の切欠部２５ａを設けていない左右いずれかの端部から前後いずれかの方向に延びて平面視略Ｌ字状をなすものであり、その前後方向に延びる先端部に上向きに突出した扉５の丁番１０に挿通可能な軸部を有している。また、扉支持部材２５の前後調整ボルト２３が螺合する箇所は、段差部２６が設けてあり、段差部２６は、扉支持部材２５を前後方向に調整したときに連動部材２２が受け入れられることで、前後方向の調整幅をとるものである（図１参照）。
【００１３】
次に、本実施によるひじ金具による扉の位置調整の手順について、図４（ａ）〜（ｄ）に基づいて以下に説明する。
本実施によるひじ金具３で扉５を前後方向に調整するときには、図４（ａ）（ｂ）のように、門柱１の外側見付け面１ａ側から前後調整ボルト２３を回すことにより、連動部材２２とともに扉支持部材２５が前後方向に動き、これに伴い扉支持部材２５に取り付けられた扉５が前後に移動して位置が調整される。また、扉５を左右方向に調整するときには、図４（ｃ）（ｄ）のように、左右調整ボルト２４を正・逆いずれかの方向に回すことで、連動部材２２とともに扉支持部材２５が左右に動き、これに伴い扉支持部材２５に取り付けられた扉５が左右に移動して位置が調整できる。また、このときに、左右調整ボルト２４の軸部先端は、扉支持部材２５の切欠部２５ａで空回りして扉支持部材２５に係止することがないので、連動部材２２の見込み片２２ｂのみに螺合している。以上のように、扉支持部材２５が連動部材２２を介して前後調整ボルト２３と左右調整ボルト２４で保持してあることで、ひじ金具本体２１ａのみが門柱１の外側見付け面１ａに固定してあるため、扉支持部材２５を門柱１に固定するための固定具が不要となる。
【００１４】
本発明の門扉は、上記実施のものの他、門柱１と扉５の意匠的な統一感を醸し出すようなものであれば、カバー主材１４の一部を面取りしたものなどであってもよい。また、上記実施のものでは、カバー主材１４の左右の側壁部１４ａ，１４ｂがカバー補助材４のカバー主材取付片４ｂと門柱１の外側見付け面１ａの嵌凹溝１ｂにスナップ式に着脱するものについて説明したが、例えば、カバー材２を門柱１の外側見付け面１ａに対して上下左右のいずれかの方向からスライド式に挿入して取付けるものなど、カバー材２を簡単に着脱できる構造であればよい。カバー補助材４は、上記実施形態ではひじ金具を挟んだ上下に複数が分かれて取り付けてあるが、一体に形成してあってもよい。
【図面の簡単な説明】
【００１５】
【図１】本実施による門扉の一部を拡大し、上側端部キャップを外した状態を示す斜視図である。
【図２（ａ）（ｂ）】（ａ）は、本実施による門扉のカバー材が取付けられた状態を示す横断面図であり、（ｂ）は、カバー材を取外した状態を示す横断面図である。
【図３（ａ）（ｂ）（ｃ）】（ａ）は、本実施による門扉の全体を示す正面図であり、（ｂ）は、平面図であり、（ｃ）は、門扉の一部を拡大してカバー材の詳細を示す側面図である。
【図４（ａ）（ｂ）（ｃ）（ｄ）】（ａ）（ｂ）は、本実施による門扉のひじ金具に有する前後調整ボルトを調整したときの横断面図であり、（ｃ）（ｄ）は、左右調整ボルトを調整したときの横断面図である。
【符号の説明】
【００１６】
１  門柱
１ａ  外側見付け面（門柱）
１ｃ  見込み面（門柱）
２  カバー材
３  ひじ金具
４  カバー補助材
４ｃ  見込み面（カバー補助材）
５  扉
１４  カバー主材
１４ｄ  見込み面（カバー主材）
１４ｅ  見付け面（カバー主材）
２１ａ  ひじ金具本体
【図１】
2010116706.tif 000003
【図２（ａ）（ｂ）】
2010116706.tif 000004
【図３（ａ）（ｂ）（ｃ）】
2010116706.tif 000005
【図４（ａ）（ｂ）（ｃ）（ｄ）】
2010116706.tif 000006